(57)【特許請求の範囲】
【請求項１】
介在した可動キャップにより蒸発率が制御され殺虫剤、香水または同種のものに適用可能な揮発性製品のための蒸発器であって、電力供給のためのプラグ（３）を形成しているケース（１）を備え、揮発性製品のための取外し可能な容器（２）を持ち、揮発性製品が灯心（４）を通してヒーター（５）の影響領域へ上昇するものにおいて、蒸発の度合の調整が可動キャップ（９）により行われ、この可動キャップはその内側の灯心（４）とヒーター（５）の間を軸方向に可動であり、従ってキャップ（９）の存在が上昇するために発生した蒸気の挙動を規制し、蒸気の上昇を加速するように蒸発を促す煙突効果を生じ、調整は可動キャップ（９）の異なる位置により達成され、従ってキャップ（９）がケース（１）のオリフィス（８）へ軸方向に移動するに連れて蒸気の上昇通路は上記キャップ（９）により囲まれこれにより効果的な蒸発が達成され、可動キャップ（９）が灯心（４）とヒーター（５）との間に入ると蒸発が最小になり、このようにして大きい調整容量が得られることを特徴とする、蒸発器。
【請求項２】
介在した可動キャップにより蒸発率が制御される請求項１に記載の揮発性製品のための蒸発器であって、可動キャップ（９）はアーム（１２）の上端に接続され、アームの他端はガイド（１３）に接続され、ガイドは傾斜した上下端縁を備え、これらの全ての要素は調整要素（６）を限定しており、かつケース（１）の前側壁には内壁（１７）に近接しかつ上下の傾斜路（１４）、（７）を形成している傾斜通路（１０）が形成されており、両傾斜路はガイド（１３）が傾斜通路（１０）に収容されているので傾斜路（１４）、（７）の縁上での移動がガイド（１３）の昇降を起こし、従ってアーム（１２）を通して可動キャップ（９）の位置決めと蒸発率の調整が可能となっていることを特徴とする、蒸発器。
【請求項３】
介在した可動キャップにより蒸発率が制御される請求項１に記載の揮発性製品のための蒸発器であって、キャップ（９）が煙突効果を創生するように軸方向の移動機能を備え、これにより蒸発が制御されるように構成されていることを特徴とする、蒸発器。
【請求項４】
介在した可動キャップにより蒸発率が制御される請求項２に記載の揮発性製品のための蒸発器であって、ケース（１）の見得る位置に目盛（１５）が配置され、これによりガイド（１３）の各種位置および従って各種蒸発率の確認ができるように構成されていることを特徴とする、蒸発器。
【請求項５】
介在した可動キャップにより蒸発率が制御される請求項２または４に記載の揮発性製品のための蒸発器であって、調整要素（６）の最上端位置は調整要素の上部領域に備えられた胸壁（１１）がケース（１）の内側と当接することにより決定され、胸壁はまたその間にケース（１）により形成されている環状壁（１６）を収容することを意味し、胸壁はこの位置では可動キャップ（９）の突起であり、調整要素（６）の下端位置はアーム（１２）とヒーター（５）との間の接触により決定され、両位置はまた傾斜通路（１０）内でのガイド（１３）の両端位置により限定されることを特徴とする、蒸発器。
【請求項６】
介在した可動キャップにより蒸発率が制御される請求項２、４、５のいずれかに記載の揮発性製品のための蒸発器であって、調整要素（６）が、蒸発器への適用時に他の材料で作り得るとしても、樹脂で作られていることを特徴とする、蒸発器。
【発明の詳細な説明】
【０００１】
（技術分野）
本発明は空気清新剤、殺虫剤または同種のもののための揮発性製品を、電気抵抗体で作られた熱により蒸発させるように設計された装置に関するものあって、この熱が製品容器から灯心へ吸入される製品の蒸発を増進させる。
【０００２】
（背景技術）
揮発性物質の蒸発器は市場では広く知られており、それは概ね殺虫剤または香水に適用され、かつ蒸発させられる製品を収容する容器を備え、この揮発性製品は毛管作用により灯心を通して上昇し、灯心は製品を加熱抵抗器近傍に導き、熱により蒸発が生ずる。
【０００３】
これらの装置を異なる使用条件または消費者の好みに合わせて使用するためには、物質の蒸発率が調節され、その際に蒸発した製品の少量または大量が周囲に放出される。
【０００４】
この意味において、特許出願第９７０１３８８号が知られており、その中にはこれらの装置の一つが開示されており、そこでは蒸発率は灯心と加熱要素の相対位置の変更により制御されるようになっている。
【０００５】
この装置では、電気加熱抵抗器は静止しており、ねじ手段により軸方向に動かされるのは容器と灯心であり、それにより加熱抵抗器の影響領域内への灯心の露出度合が変化する。
【０００６】
これらの装置は製造の簡素化と経済性が使用の効率及び容易性と結合していることが求められ、かつこの使用が消費者にとって魅力的であることが必要である。
【０００７】
（発明の開示）
（発明が解決しようとする技術的課題）
本発明は、蒸発の強度調整を許容するための装置手段の提供を目的としている。
【０００８】
ここに開示されている本発明は、蒸発率調整可能な揮発性製品のための蒸発器を提供するように設計されており、そこには構造の一層の簡素化と装置のより容易かつより快適な操作が可能な蒸発手段が包含されている。
【０００９】
蒸発率の調整は可動キャップにより達成され、この可動キャップは蒸発器に前述の特徴を提供する他に、以前の公知システムよりも揮発性製品のより効果的な蒸発調整を許容する。
【００１０】
このようにして、この揮発性製品蒸発器はこれらの装置のための基礎構造体から作られており、この装置は加熱抵抗器および加熱抵抗に対して電力を供給するための電源への接続用の外部形成プラグを収容するケースまたは本体を備えている。慣例としてこれらの抵抗器はＰＴＣタイプのものである。
【００１１】
ケースの下端には揮発性製品を収容している容器の結合手段を備え、この手段としてはねじ付けまたは他の従来技術のどちらかでよく、従って収容物が消費されると新しい容器と取り替えられる。
【００１２】
容器の内側には筒状灯心があり、この灯心は有孔性により液体を吸収し、従って液体は灯心を通して加熱抵抗器の近傍にまで上昇する。
【００１３】
これらの装置の公知の配置に基づき、本発明は蒸発率を決定するために、蒸発器がキャップを備え、このキャップが手動で軸方向に可動であり、その内部には揮発性製品に浸された灯心が収容されている。
【００１４】
このキャップの機能は煙突効果を創生するためのものであり、この煙突効果は灯心内で発生した蒸気の上昇に影響を与え、従ってこの煙突効果はこの蒸気の上昇速度を増し、これにより蒸発率が増加する。
【００１５】
このキャップの軸方向の動きはその異なる高さを定め、出口オリフィスへの蒸気の通路を部分的に完成する。この通路が長ければ長いほど蒸発に対する煙突効果は増し、逆もまた同じであり、最大と最小の位置はキャップの移動をケースの内側に適当な方法で配置した停止部材で制限することにより規制される。
【００１６】
キャップはアームに接続されており、このアームはガイド内で終っており、これはガイドの移動位置を決定する傾斜溝を通してケースから突出していることを意味している。使用者はこのガイドを手で操作し、このガイドは傾斜溝に適合する形状を備えているので溝の中で上方または下方のいずれへも摺動可能であり、これによりキャップを動かしかつ蒸発率を調整し得る。
【００１７】
（発明を実施するための最良の形態）
図１は共同して蒸発装置を形成している要素を示しており、蒸発装置はケース（１）に基礎を置き、ケースは電源への接続のためのプラグ（３）を備えている。ケース（１）内にはヒーター（５）が収容されかつ固定されており、このヒーターはプラグ（３）を通して電源に接続することにより熱発生要素として作用するＰＴＣ型抵抗器を備えている。
【００１８】
ケース（１）の底部は容器（２）を組み合わせるための開口を備え、この容器は揮発性製品を収容し、この揮発性製品は灯心（４）を通して昇り、この揮発性製品がそこで生ずる熱に晒されるようにヒーター（５）内に作られているオリフィス内を順次通過する。
【００１９】
このようにして作られた蒸気はオリフィス（８）を通して上昇しかつ流れる。
【００２０】
この発明は調整要素（６）の包含に中心が置かれており、この調整要素は可動キャップ（９）を備え、この可動キャップは図１に示されているように、キャップ内に収容されている灯心（４）とヒーター（５）との間に配置されており、従って調整要素は上記２要素の間で軸方向に可動である。
【００２１】
上記の軸方向の移動はアーム（１２）により可動キャップ（９）に伝達され、アームは調整要素の上部に接続されかつガイド（１３）に繋ぎ、ガイドは上端と下端に傾斜平行部を有する。
【００２２】
更に、ケース（１）の前壁上には内側が内壁（１７）で閉鎖された傾斜通路（１０）を備えてケース（１）内に窓を形成しており、かつ下側傾斜路（７）と上側傾斜路（１４）とを形成している。この傾斜通路（１０）はガイド（１３）を収容しかつガイドに適合する形状に作られ、ガイドの両傾斜縁が傾斜路（７）および（１４）上を摺動するのに適合するように構成され、ガイド（１３）は使用者が蒸発の率を調整するために操作する部材を形成している。
【００２３】
ガイド（１３）の動きは傾斜通路（１０）の内側サイズにより制限され、従って調整要素（６）は常に正常な位置を占め、この調整要素の正しい位置はヒーター（５）の筒状オリフィス内の可動キャップ（９）の位置により矯正される。
【００２４】
このようにして、ガイド（１３）の横方向のいずれかの方向への動きとガイドの傾斜および傾斜通路（１０）が調整要素（６）を昇降させる作用を備えていることにより、可動キャップ（９）の軸方向移動が起こる。
【００２５】
この可動キャップ（９）が有ることにより発生する蒸気内に煙突効果が生じ、何故ならば可動キャップが蒸気のための上向きの通路を創り、この通路は蒸気が横へ拡散することを阻止しかつ蒸気の上昇流を創る。この蒸気は横へは広がらずかつオリフィス（８）を通してケース（１）内の排気通路を形成し、可動キャップ（９）内に空気の上方吸引力を生じ、蒸発が促進される。
【００２６】
可動キャップ（９）の異なる高さ位置は、可動キャップがオリフィス（８）から離れるまで蒸気の全通路に煙突効果を許容し、このようにして最高蒸発率を達成したり、またはこの通路を部分的に形成して蒸気が近接領域へ部分的に多かれ少なかれ拡散することを許容し、このようにして蒸発率の調整が制御可能となる。
【００２７】
この好ましい実施例においては、蒸発率を規制するガイド（１３）の位置は図３および図４に示されており、その時ガイドは傾斜通路（１０）内の最も右側にあり、可動キャップ（９）が完全な蒸気通路を形成している。
【００２８】
調整要素（６）は頂部に胸壁（１１）を備え、この胸壁は図３および図４に見えるように垂直に移動してケース（１）に衝突した時に停止部材として使用されている。この最上位置ではケース（１）により形成されている環状壁（１６）は胸壁（１１）の内側に係合して可動キャップ（９）の延長部を創生している。
【００２９】
蒸発率が最小となる位置は図５に示されており、ガイド（１３）は傾斜通路（１０）の最左端にあり、この方向への動きはアーム（１２）がヒーター（５）に当接することにより規制されている。この位置では、同図で見えるように、蒸気の横への拡散は許容され、従って煙突効果は最小でありかつ蒸発も最小となり、この位置での蒸発は灯心（４）とヒーター（５）との間の相対的位置とそれらの構造とにより決定される。
【００３０】
更に、可動キャップ（９）が最低位置では、可動キャップがヒーター（５）と灯心（４）の間の熱伝達に干渉し、このようにして蒸発率の最小値を減し、最高値からの隔たりを増す。これによりより大きい調整容量が得られる。
【００３１】
使用者がガイド（１３）の各種位置、即ち、各種蒸発率を認識し得るように、この発明では傾斜通路（１０）がある前壁上に目盛（１５）を備え、この目盛はこれらの位置を決定し得る各種タイプのマークであってもよい。
【００３２】
この好ましい実施例では、調整要素（６）は樹脂で作られているが、蒸発装置の用途によっては別の材料で作ることもでき、調整要素（６）がヒーター（５）と灯心（４）との間の熱伝達に関与できるようにすることも興味深い。
【００３３】
本発明の主な特徴が蒸発量の調整に煙突効果を利用するものであるから、本発明の予測し得る選択肢として、可動キャップ（９）の軸方向移動を可能とするシステムとしては別の手段であってもよく、ねじまたは異なる手段の介在した他の手段も有り得る。
【図面の簡単な説明】
【図１】蒸発装置の可動キャップの中間部分における縦断側面を示している。
【図２】可動キャップを構成する部品の斜視図である。
【図３】本発明の一部を構成している要素の前面を示しており、製品コンテナー容器が結合されておりかつその頂部にキャップを備えている。
【図４】前図と同じ物の側面図である。
【図５】本発明の一部である要素の斜視図で、容器とその最小部分にキャップを有する灯心は備えていない。
【符号の説明】
１          ケース
２          容器
３          プラグ
４          灯心
５          ヒーター
７          下側傾斜路
８          オリフィス
９          可動キャップ
１０        傾斜通路
１２        アーム
１３        ガイド
１４        上側傾斜路
１５        目盛
１６        環状壁
１７        内壁
【図１】
0003560551.tif 000002
【図２】
0003560551.tif 000003
【図３】
0003560551.tif 000004
【図４】
0003560551.tif 000005
【図５】
0003560551.tif 000006